(57)【要約】【課題】近くからノイズが発生している場合でも受信状態の悪化を抑制することが可能なイヤホン、アンテナ及び携帯型電子機器を提供する。【解決手段】イヤホン２のケーブル３１は、アンテナＡＮＴを備えている。プラグ３２を携帯電話機に接続すると、アンテナＡＮＴが受信した電波は、プラグ３２を介して携帯電話機のチューナに入力される。ケーブル３１の外周面には、１本の金属線５１が配設されている。金属線５１の途中にローディングコイル５２が設けられている。この金属線５１は、プラグ３２を介して携帯電話機のグランドに接続される。【選択図】図２
2009021795.tif 000002
【特許請求の範囲】
【請求項１】
複数の信号線を備えるケーブルと、
前記ケーブルに設けられ、前記複数の信号線を電気的に外部装置に接続させるためのプラグと、
前記ケーブルに内設され、前記プラグによって前記外部装置に電気的に接続されるアンテナ線と、
前記ケーブルの外周に配置され、前記プラグによって前記外部装置のグランドに接続される金属線と、
を含むイヤホン。
【請求項２】
前記金属線は、前記ケーブルの長さ方向に沿って螺旋状に巻かれていることを特徴とする請求項１に記載のイヤホン。
【請求項３】
前記金属線は、前記プラグに内蔵されていることを特徴とする請求項１に記載のイヤホン。
【請求項４】
前記金属線に取り付けられ、当該金属線の同調周波数を変更する変更素子を更に含むことを特徴とする請求項１に記載のイヤホン。
【請求項５】
チューナを有する携帯型電子機器に接続されるとモノポールアンテナとして又は半波長ダイポールアンテナの片側として作用し、受信した電波を当該チューナに入力するアンテナであって、
信号又は電気が通る導通路を備えるケーブルと、
前記ケーブルに設けられ、前記携帯型電子機器に接続されるプラグと、
前記ケーブルが備える導通路と共に当該ケーブルに内設され、前記プラグを介して前記携帯型電子機器に電気的に接続される第１のアンテナ線と、
前記第１のアンテナ線に近接して配置され、前記プラグを介して前記携帯型電子機器のグランドに接続される第２のアンテナ線と、
を含むアンテナ。
【請求項６】
前記第１のアンテナ線のアンテナ長が、前記第１のアンテナ線による所定の放送波の受信に影響しない長さで、かつ、前記携帯型電子機器からのノイズが当該第１のアンテナ線に入力するのを抑制する長さであることを特徴とする請求項５に記載のアンテナ。
【請求項７】
チューナ及び画像表示部を有する携帯型電子機器本体と、
前記携帯型電子機器本体に接続されるアンテナ付きイヤホンと、
を含み、
前記アンテナ付きイヤホンは、
ケーブルと、
前記ケーブルに内設されたアンテナ線と、
前記アンテナ線と共に前記ケーブルに内設された信号線と、
前記ケーブルに設けられ、前記アンテナ線及び前記信号線を電気的に外部装置に接続させるためのプラグと、
前記アンテナ線に近接して配置され、前記プラグによって前記携帯型電子機器本体のグランドに接続される金属製のグランド線と、
を備えることを特徴とする携帯型電子機器。
【請求項８】
前記グランド線は、前記アンテナ線の長さ方向での前記画像表示部の長さと略同一のアンテナ長を有することを特徴とする請求項７に記載の携帯型電子機器。
【発明の詳細な説明】
【技術分野】
【０００１】
本発明は、電気信号を音に変換する電気−音響変換器としてのイヤホン等に関するものである。
【背景技術】
【０００２】
携帯型の受信情報機器、例えば携帯電話機は、通話機能のみならず、技術の発達と共にメールやインターネット等の通信機能が付加されている。そして、その便利さや手軽さ等のため、携帯電話機は世界的に急速に普及している。
【０００３】
そのような携帯電話機の普及に伴い、通話機能や通信機能以外の様々な機能を有する携帯電話機が提案されている（例えば、特許文献１参照）。すなわち、特許文献１では、音楽再生機能を有する携帯電話機が開示されている。このため、携帯電話機及び携帯電話機に接続されるイヤホン（ヘッドホン）に対して高音質化という要求があり、各種の技術を用いてその要求に対応している。このように、携帯電話機に音楽再生機能をもたせることにより、専用の音楽再生機を用いて所望の音楽を聴いていた従来のスタイルから、携帯電話機だけを持ち歩いて携帯電話機で音楽再生するというスタイルに変わりつつある。
【０００４】
また、特許文献１では、ラジオやテレビ等の受信機能を有する携帯電話機も開示されている。ここで、携帯電話機に専用のアンテナを内蔵すると携帯電話機の小型化や軽量化の妨げになることから、チューナを携帯電話機に内蔵すると共に、携帯電話機に接続されるヘッドホンのケーブル（コード）にアンテナ機能をもたせた構成が開示されている（例えば、特許文献２参照）。すなわち、特許文献２には、ヘッドホンのケーブルをコネクタを介してチューナに接続し、これにより、ヘッドホンのケーブルを外部アンテナとして用いていると共に、ヘッドホンのコネクタが携帯電話機に接続されると、音声信号の出力先がスピーカからヘッドホンへと切り替わる構成が開示されている。
【０００５】
【特許文献１】特開２００２−１０１１６４号公報
【特許文献２】実開平３−２７０８号公報
【発明の開示】
【発明が解決しようとする課題】
【０００６】
ここで、携帯電話機からはノイズが発せられており、そのノイズの入力によりアンテナの受信状態が悪化してしまう。アンテナの受信感度を高めることも考えられるが、ノイズに関しても感度が高まり、受信状況を改善することが困難である。また、携帯電話機等に接続して用いられる機器に対して小型化のニーズがあり、従来から提案されている種々の技術を用いても、このような小型化のニーズに応えることが困難である。
【０００７】
本発明は、以上のような技術的課題を解決するためになされたものであり、その目的とするところは、近くからノイズが発生している場合でも受信状態の悪化を抑制することが可能なイヤホン、アンテナ及び携帯型電子機器を提供することにある。
【課題を解決するための手段】
【０００８】
かかる目的のもと、本発明が適用されるイヤホンは、複数の信号線を備えるケーブルと、前記ケーブルに設けられ、前記複数の信号線を電気的に外部装置に接続させるためのプラグと、前記ケーブルに内設され、前記プラグによって前記外部装置に電気的に接続されるアンテナ線と、前記ケーブルの外周に配置され、前記プラグによって前記外部装置のグランドに接続される金属線と、を含むものである。
【０００９】
ここで、前記金属線は、前記ケーブルの長さ方向に沿って螺旋状に巻かれていることを特徴とすることができる。また、前記金属線は、前記プラグに内蔵されていることを特徴とすることができる。また、前記金属線に取り付けられ、当該金属線の同調周波数を変更する変更素子を更に含むことを特徴とすることができる。
【００１０】
他の観点から捉えると、本発明が適用されるアンテナは、チューナを有する携帯型電子機器に接続されるとモノポールアンテナとして又は半波長ダイポールアンテナの片側として作用し、受信した電波を当該チューナに入力するアンテナであって、信号又は電気が通る導通路を備えるケーブルと、前記ケーブルに設けられ、前記携帯型電子機器に接続されるプラグと、前記ケーブルが備える導通路と共に当該ケーブルに内設され、前記プラグを介して前記携帯型電子機器に電気的に接続される第１のアンテナ線と、前記第１のアンテナ線に近接して配置され、前記プラグを介して前記携帯型電子機器のグランドに接続される第２のアンテナ線と、を含むものである。
【００１１】
ここで、前記第１のアンテナ線のアンテナ長が、前記第１のアンテナ線による所定の放送波の受信に影響しない長さで、かつ、前記携帯型電子機器からのノイズが当該第１のアンテナ線に入力するのを抑制する長さであることを特徴とすることができる。
【００１２】
更に本発明を別の観点から捉えると、本発明が適用される携帯型電子機器は、チューナ及び画像表示部を有する携帯型電子機器本体と、前記携帯型電子機器本体に接続されるアンテナ付きイヤホンと、を含み、前記アンテナ付きイヤホンは、ケーブルと、前記ケーブルに内設されたアンテナ線と、前記アンテナ線と共に前記ケーブルに内設された信号線と、前記ケーブルに設けられ、前記アンテナ線及び前記信号線を電気的に外部装置に接続させるためのプラグと、前記アンテナ線に近接して配置され、前記プラグによって前記携帯型電子機器本体のグランドに接続される金属製のグランド線と、を備えることを特徴とするものである。
【００１３】
ここで、前記グランド線は、前記アンテナ線の長さ方向での前記画像表示部の長さと略同一のアンテナ長を有することを特徴とすることができる。
【発明の効果】
【００１４】
本発明によれば、近くからノイズが発生している場合でも受信状態の悪化を抑制することが可能になる。
【発明を実施するための最良の形態】
【００１５】
以下、添付図面を参照して、本発明の実施の形態について詳細に説明する。
図１は、本実施の形態に係るイヤホン２とイヤホン２が用いられる携帯電話機１とを示す概略構成図である。
図１に示す携帯電話機（外部装置、携帯型電子機器、携帯型電子機器本体）１は、イヤホン（ヘッドホン）２が接続されるジャック１１と、各種の文字や画像を表示する液晶画面（画像表示部）１２と、を有する。また、携帯電話機１は、ＦＭラジオ放送、ＶＨＦテレビ放送、ＵＨＦテレビ放送及び地上デジタル放送、デジタルラジオ放送（３セグ）等を受信する図示しないチューナを有する。そして、ユーザが所望の放送を視聴するときには、後述する受信アンテナを備えるイヤホン２を携帯電話機１のジャック１１に接続する。
【００１６】
イヤホン２がジャック１１に接続されると、携帯電話機１の図示しない内蔵スピーカからの音出力が遮断され、ユーザは、イヤホン２を通じて放送の内容を聴くことができる。なお、イヤホン２がジャック１１に接続されると、イヤホン２及び図示しない内蔵スピーカを通じて放送の内容を聴くことができるように構成することも考えられる。
なお、本実施の形態では、受信した放送は、音声出力のみならず映像出力も可能に構成されているが、音声出力のみを可能にする構成の場合にも同様に適用することができる。また、ＦＭラジオ放送のみならず、ＡＭラジオ放送も受信可能に携帯電話機１を構成することも可能である。
【００１７】
また、携帯電話機１は、図示しない内部メモリ又は外部メモリに、例えばＭＰ３形式の所定のデータ形式で予め記録された音楽を再生する音楽再生機能を有する。なお、ここにいう外部メモリとは、携帯電話機１に脱着可能に装着できる記憶媒体をいい、例えばＳＤメモリカード等をいう。
【００１８】
イヤホン２は、携帯電話機１に接続される操作部３と、操作部３に接続される音出力部４と、を備える。操作部３は、携帯電話機１に対するユーザからの指示内容を電気信号で携帯電話機１に出力する。また、音出力部４は、操作部３を介して携帯電話機１からの電気信号に対応する音を出力する。
【００１９】
なお、本実施の形態では、イヤホン２として、操作部３と音出力部４とがコネクタ類によって分離可能に構成されているものを用いているが、そのような分離が不可能に構成されているものを用いることもできる。また、ここにいうイヤホン２は、操作部３と音出力部４とを含んで構成されているが、例えば操作部３のみをイヤホン２と考えることもできる。
【００２０】
操作部３は、複数の信号線（芯線）を内蔵するケーブル３１と、ケーブル３１の一端に設けられ、携帯電話機１のジャック１１に接続される１０極のプラグ３２と、ケーブル３１の他端に設けられ、ユーザが携帯電話機１に対して指示を行う際に操作するリモコン３３と、を有する。ケーブル３１に内蔵されている複数の信号線は、電気信号を伝達するためのものであるが、光信号等の他の信号を伝達するように構成している場合にも本実施の形態を適用することができる。
【００２１】
ここで、リモコン３３は、ユーザの声が入力されるマイクロホン３３１と、音量の調整や受信周波数の調整を行ったり、音楽再生の際にユーザが操作したりするための各種のボタン３３２と、が配設されている。また、リモコン３３には、音出力部４を接続するための出力端子３３３がケーブル３１とは逆側に設けられている。なお、リモコン３３における出力端子３３３の位置は、本実施の形態の場合に限られず、ケーブル３１とは逆側以外であってもよい。
【００２２】
音出力部４は、複数の信号線を内蔵し、一端から他端に向かう途中で二股に分かれるケーブル４１と、ケーブル４１の一端に設けられ、操作部３の出力端子３３３に挿入されるプラグ（接続部品）４２と、ケーブル４１の他端に設けられ、ユーザの片耳ずつにセットされる右スピーカ４３ａ及び左スピーカ４３ｂと、を有する。右スピーカ４３ａ及び左スピーカ４３ｂは、プラグ４２及びケーブル４１を介して送られてきた電気信号を音に変換して出力する。
【００２３】
なお、本実施の形態では、携帯電話機１にイヤホン２を接続する場合を説明したが、イヤホン２の代わりに、図示しない電源コードを接続する場合にも同様に適用することができる。この電源コードは、電気配線されているコンセントから携帯電話機１に電気を供給するためのものであり、そのために、電力線、電源線、導線等の電気供給路を内蔵している。
また、携帯電話機１のほかに、図示しない携帯用ラジオ受信機にイヤホン２や図示しない電源コードを接続する場合にも適用することができる。
【００２４】
〔第１の実施の形態〕
図２は、第１の実施の形態に係るイヤホン２の構成を説明する図である。
図２に示すように、イヤホン２のケーブル３１は、アンテナ（第１のアンテナ線）ＡＮＴを備えている。また、ケーブル３１は、図示しない各種の信号線を備えている。具体的に説明すると、ケーブル３１は、音出力部４（図１参照）の右スピーカ４３ａに信号を伝えるための信号線と、音出力部４の左スピーカ４３ｂに信号を伝えるための信号線と、を備える。その他に、ケーブル３１は、操作部３（図１参照）のリモコン３３に配設されたマイクロホン３３１のための信号線と、リモコン３３に配設されたボタン３３２のための信号線と、ステレオ検出のための信号線と、グランドのための信号線と、を備えることができる。
【００２５】
このアンテナＡＮＴは、アンテナとして機能する信号線で構成されている。プラグ３２を携帯電話機１のジャック１１に接続すると、アンテナＡＮＴが受信した電波は、プラグ３２及びジャック１１を介して携帯電話機１の図示しないチューナに入力される。
【００２６】
また、ケーブル３１の外周面には、１本の金属線（第２のアンテナ線、グランド線）５１が配設されている。この金属線５１は、ケーブル３１の長さ方向に直線状に延びるように配設されている。そして、金属線５１は、プラグ３２及びジャック１１を介して携帯電話機１のグランドに接続される。なお、金属線５１としては、抵抗値の低い材質例えば銅線を用いることが考えられる。
【００２７】
更に説明すると、金属線５１の途中にローディングコイル５２が設けられている。このローディングコイル５２は、同調周波数ないしはアンテナの共振周波数を下げるための素子であり、中心周波数ｆｃを下げる作用をする。すなわち、ローディングコイル５２を金属線５１に用いると、金属線５１のアンテナ長が長くなり、その結果として、金属線５１の長さ寸法を短くすることができる。ローディングコイル５２としては、例えば、チップインダクタを用いることが考えられる。
なお、設計条件によっては、ローディングコイル５２の代わりに、図示しない短縮コンデンサを用いる場合も考えられる。この短縮コンデンサは、同調周波数ないしはアンテナの共振周波数を上げるための素子であり、中心周波数ｆｃを上げる作用をする。すなわち、短縮コンデンサを金属線５１に用いると、金属線５１のアンテナ長が短くなり、その結果として、金属線５１の長さ寸法を長くすることになる。
【００２８】
アンテナＡＮＴを備えるケーブル３１と金属線５１とは、熱収縮のチューブ３２ａで互いに一体に固定されている。すなわち、金属線５１の長さとプラグ３２の大きさとの関係で、金属線５１の一部がプラグ３２から突出しているので、チューブ３２ａでケーブル３１と金属線５１とを一体にしている。
【００２９】
次に、イヤホン２の受信感度の評価について説明する。
図３は、測定条件を説明するための概略構成図である。
図３に示すように、テストアンテナＲＸと、ノイズを発生するノイズ発生部ＴＸと、を互いに略平行となるように配設している。このテストアンテナＲＸは、イヤホン２に相当するものであり、図示省略のアンテナＡＮＴ及び図示省略の金属線（図２の金属線５１を参照）を備えている。
この金属線は、グランドＧに電気的に接続することが可能に構成されている。すなわち、金属線とグランドＧとが互いに接続した状態と両者が非接続の状態とを切り換えられるように構成されている。
また、テストアンテナＲＸとノイズ発生部ＴＸとが相対的に平行移動できるように構成されている。このため、テストアンテナＲＸとノイズ発生部ＴＸとの間の距離Ｌを任意の値に設定することができる。
【００３０】
更に説明すると、テストアンテナＲＸには、測定器としての図示しないスペクトラムアナライザを接続し、ノイズ発生部ＴＸには、図示しないＳＳＧ(Standard Signal Generator、標準信号発生器）を接続している。すなわち、ノイズ発生部ＴＸから電波を出力し、その電波をテストアンテナＲＸで受信し、その受信状態をスペクトラムアナライザで測定するように構成されている。
なお、テストアンテナＲＸの長さは３８ｃｍ、ノイズ発生部ＴＸの長さは８ｃｍである。また、グランドＧとしては、４０ｍｍ×８０ｍｍの銅板を用いている。
【００３１】
図４〜図８は、距離Ｌ＝０〜４ｃｍの場合のテストアンテナＲＸの受信電波を変えて測定した結果を示すグラフであり、各図の（ａ）の縦軸は強さで横軸が周波数（ＭＨｚ）であり、各図の（ｂ）の縦軸は、本実施の形態のアンテナのＶＳＷＲ値で横軸が周波数（ＭＨｚ）である。また、図９は、距離Ｌ＝３８ｃｍの場合のテストアンテナＲＸの受信電波を変えて測定した結果を示すグラフであり、（ａ）の縦軸が強さで横軸が周波数（ＭＨｚ）、（ｂ）の縦軸がアンテナのＶＳＷＲ値で横軸が周波数（ＭＨｚ）である。また、各図の（ａ）における実線は、本実施の形態の場合の測定値であり、破線は従来の場合の測定値である。
図４〜図８の各々の（ａ）に示すように、デジタルラジオ放送の周波数帯域（デジタルラジオ帯域）で、本実施の形態の場合と従来の場合との強さの差が大きいことが分かる。また、図４〜図８の各々の（ｂ）に示すように、本実施の形態のアンテナは、デジタルラジオ帯域で、従来のアンテナよりも優れたＶＳＷＲ特性を有している。
なお、図９の（ａ）に示すように、距離Ｌ＝３８ｃｍのときには、本実施の形態の場合と従来の場合との強さの差がほとんどないことが分かる。
【００３２】
図１０は、図４〜図８に示すグラフに基づき距離Ｌと改善度との関係を示すグラフであり、縦軸は改善度（ｄＢ）であり、横軸は距離Ｌ（ｃｍ）である。なお、この改善度とは、本実施の形態の構成が従来の構成に対して何デシベル落ちているかを示す度合いをいう。言い換えると、改善度とは、図２に示す金属線５１がグランドＧ（図３参照）に接続した状態のテストアンテナＲＸでの測定値の、図２に示す金属線５１がグランドＧ（図３参照）に非接続の状態のテストアンテナＲＸでの測定値に対する比率をいう。また、受信電波としては、デジタルラジオ放送の周波数帯域（デジタルラジオ帯域）の１８８．５ＭＨｚ、１９３．５ＭＨｚ及び１９８．５ＭＨｚである。
図１０に示すように、距離Ｌが小さいと改善度が高く、距離Ｌが大きくなると改善度が小さくなるという傾向がある。言い換えると、テストアンテナＲＸにノイズ発生部ＴＸが近づいていくと改善度が高くなり、テストアンテナＲＸからノイズ発生部ＴＸが遠ざかっていくと改善度が低くなる。テストアンテナＲＸにノイズ発生部ＴＸが近づいていくと効果がある。
【００３３】
したがって、テストアンテナＲＸの近くにノイズ発生部ＴＸが位置する場合には、本実施の形態の構成（図２に示す金属線５１と図３に示すグランドＧとが互いに接続した状態）の方が、従来の構成（金属線とグランドＧとが非接続の状態）よりも、ノイズ源に対して感度が下がるという傾向がある。その一方で、ノイズ発生部ＴＸがテストアンテナＲＸの遠くに位置する場合には、本実施の形態の構成と従来の構成とでの感度の差が小さくなる傾向がある。図１０では、距離Ｌが０〜４ｃｍまでの場合の改善度を示しているが、図９に示す距離Ｌが３８ｃｍの場合には、本実施の形態の場合と従来の場合との差異が更に小さくなっている。このことから、距離Ｌが更に大きいと改善度は、いずれの周波数であっても、０に収束していくと考えられる。
【００３４】
このため、本実施の形態の構成を採用すると、近くのノイズ源に対しては受信感度を下げる一方で、遠くのノイズ源に対しては受信感度に影響がないと言える。図２に示す本実施の形態の構成に当てはめてみると、金属線５１及びローディングコイル５２のアンテナ長Ｓ５により、アンテナＡＮＴの近位で発生するノイズをキャンセルすることができる一方で、遠くの放送局から放送されるデジタルラジオ放送の受信レベルには影響しない。
【００３５】
更に説明すると、図１に示す携帯電話機１の液晶画面１２からノイズが発生しており、イヤホン２の放送受信レベルに悪影響を与えてしまうことが懸念される。すなわち、液晶画面１２がノイズ源となっている。
【００３６】
このような懸念に、受信感度を高くする技術を用いることで対応することも考えられる。しかしながら、近位のノイズ源からのノイズの受信感度も上がってしまう。そのため、近くにノイズ源があると、感度を高くしても、ノイズが入ってしまう。したがって、かかる対応では、根本的に解決を図ることが困難である。
【００３７】
そこで、図２に示す本実施の形態では、ノイズキャンセル用アンテナとしての金属線５１及びローディングコイル５２を備えているので、所望の放送の受信レベルを低下させることなく、液晶画面１２からのノイズがアンテナＡＮＴへ入らないようになる。その結果、アンテナＡＮＴの例えばデジタルラジオ放送の受信状態を向上させることが可能になる。すなわち、放送受信レベルに影響せずに、アンテナＡＮＴ近傍のノイズ源に対して感度を下げることが可能になる。
【００３８】
本実施の形態では、このような効果を簡易な構成で実現するものであり、イヤホン２をコンパクトな外形で構成することができる。また、本実施の形態では、ノイズキャンセル機能をイヤホン２に持たせるものであり、携帯電話機１の基板設計における条件が緩和され、基板設計を容易化することに寄与すると共に、携帯電話機１の製造コストを下げることができる。また、携帯電話機１の軽量化や薄形化にも寄与することができる。また、更なる高機能化を実現することが可能になる。
【００３９】
〔第２の実施の形態〕
図１１は、第２の実施の形態に係るイヤホン２の構成を説明する図である。なお、本実施の形態に係るイヤホン２は、第１の実施の形態の場合と基本的な構成が同じものゆえ、共通する内容については省略することがある。
図１１に示すように、ケーブル３１は、アンテナＡＮＴを内蔵している。そして、ケーブル３１の外周面には、巻き線６１が配設されている。すなわち、巻き線６１の一部がケーブル３１の外周面に巻かれている。このため、巻き線６１は、プラグ３２内に収容されており、巻き線６１がプラグ３２から突出していない。
【００４０】
この巻き線６１は、図２に示す金属線５１に相当するものであり、金属線５１と同じ材質を用いて構成されている。また、巻き線６１の途中にローディングコイル６２が設けられている。このローディングコイル６２は、図２に示すローディングコイル５２に相当するものである。
【００４１】
〔第３の実施の形態〕
図１２は、第３の実施の形態に係るイヤホン２の構成を説明する図である。なお、本実施の形態に係るイヤホン２は、第１の実施の形態の場合と基本的な構成が同じものゆえ、共通する内容については省略することがある。
図１２に示すように、ケーブル３１は、アンテナＡＮＴを内蔵している。このアンテナＡＮＴは、アンテナ長Ｓ８を規定するチップビーズ８を有する。このチップビーズ８は、必要な信号を通過させる一方で、それ以上の所望する高周波数帯域にある不必要な信号を全て通過させないように作用する電子部品である。そして、チップビーズ８は、広い周波数帯域にわたって信号の吸収特性を有するものである。チップビーズ８は、高周波を減衰させるための素子であり、高周波減衰素子や高周波吸収素子と呼ばれる。また、高周波減衰素子としては、インダクタないしはチョークコイルがあり、これらを代用することも可能である。なお、チップビーズ８としては、使用される条件に応じて決定された所定のインピーダンスを有するものが用いられる。
【００４２】
このように、本実施の形態では、アンテナＡＮＴが所定の放送電波を受信するのに最適なアンテナ長Ｓ８となるようにチップビーズ８を配置することで、最適なアンテナ効果を得ることができる。
【００４３】
ここで、アンテナＡＮＴのアンテナ長Ｓ８の設定について説明する。アンテナ長Ｓ８は、波長をλとすると、基本的にはλ／４にする。そして、扱う周波数が多数の場合には、各帯域のセンタがｎλ／４（ｎは奇数）になるようにアンテナ長Ｓ８を設定する。ただし、すべての帯域を満足しないときには、感度の低い帯域を感度の高い帯域よりも優先する必要がある。なお、デジタルラジオ放送の周波数帯域（デジタルラジオ帯域）は、例えば１８８．５ＭＨｚ〜１９８．５ＭＨｚであり、その場合には中心周波数ｆｃ＝１９３．５ＭＨｚである。
【００４４】
また、金属線７１の途中に、ローディングコイル７２及びコンデンサ７３が設けられている。
また、金属線７１のアンテナ長Ｓ７としては、所望の放送波の受信に影響を与えないで、かつ、ノイズを落とせるような値を採用する。更に説明すると、アンテナ長Ｓ７としては、アンテナＡＮＴの長さ方向におけるノイズ源の長さ寸法と略同一長さの値を採用することができる。また、遠方からの放送電波を受信するためのアンテナＡＮＴのアンテナ長Ｓ８と、近位のノイズ源からのノイズをキャンセルするための金属線７１のアンテナ長Ｓ７との比率として、５：１の値を採用することができる。
【図面の簡単な説明】
【００４５】
【図１】本実施の形態に係るイヤホンとイヤホンが用いられる携帯電話機とを示す概略構成図である。
【図２】第１の実施の形態に係るイヤホンの構成を説明する図である。
【図３】測定条件を説明するための概略構成図である。
【図４】テストアンテナの受信電波を変えて測定した結果を示すグラフであり、（ａ）の縦軸は強さで横軸が周波数（ＭＨｚ）であり、（ｂ）の縦軸は、本実施の形態のアンテナのＶＳＷＲ値で横軸が周波数（ＭＨｚ）である。
【図５】テストアンテナの受信電波を変えて測定した結果を示すグラフであり、（ａ）の縦軸は強さで横軸が周波数（ＭＨｚ）であり、（ｂ）の縦軸は、本実施の形態のアンテナのＶＳＷＲ値で横軸が周波数（ＭＨｚ）である。
【図６】テストアンテナの受信電波を変えて測定した結果を示すグラフであり、（ａ）の縦軸は強さで横軸が周波数（ＭＨｚ）であり、（ｂ）の縦軸は、本実施の形態のアンテナのＶＳＷＲ値で横軸が周波数（ＭＨｚ）である。
【図７】テストアンテナの受信電波を変えて測定した結果を示すグラフであり、（ａ）の縦軸は強さで横軸が周波数（ＭＨｚ）であり、（ｂ）の縦軸は、本実施の形態のアンテナのＶＳＷＲ値で横軸が周波数（ＭＨｚ）である。
【図８】テストアンテナの受信電波を変えて測定した結果を示すグラフであり、（ａ）の縦軸は強さで横軸が周波数（ＭＨｚ）であり、（ｂ）の縦軸は、本実施の形態のアンテナのＶＳＷＲ値で横軸が周波数（ＭＨｚ）である。
【図９】テストアンテナの受信電波を変えて測定した結果を示すグラフであり、（ａ）の縦軸は強さで横軸が周波数（ＭＨｚ）であり、（ｂ）の縦軸は、本実施の形態のアンテナのＶＳＷＲ値で横軸が周波数（ＭＨｚ）である。
【図１０】図４〜図８に示すグラフに基づき距離と改善度との関係を示すグラフであり、縦軸は改善度（ｄＢ）であり、横軸は距離Ｌ（ｃｍ）である。
【図１１】第２の実施の形態に係るイヤホンの構成を説明する図である。
【図１２】第３の実施の形態に係るイヤホンの構成を説明する図である。
【符号の説明】
【００４６】
１…携帯電話機、１１…ジャック、１２…液晶画面、２…イヤホン、３…操作部、３１…ケーブル、３２…プラグ、３２ａ…チューブ、５１，７１…金属線、５２，６２，７２…ローディングコイル、６１…巻き線、７３…コンデンサ、８…チップビーズ、ＡＮＴ…アンテナ、Ｓ５，Ｓ７，Ｓ８…アンテナ長
【図１】
2009021795.tif 000003
【図２】
2009021795.tif 000004
【図３】
2009021795.tif 000005
【図４】
2009021795.tif 000006
【図５】
2009021795.tif 000007
【図６】
2009021795.tif 000008
【図７】
2009021795.tif 000009
【図８】
2009021795.tif 000010
【図９】
2009021795.tif 000011
【図１０】
2009021795.tif 000012
【図１１】
2009021795.tif 000013
【図１２】
2009021795.tif 000014